(57)【要約】【課題】この発明は、缶や瓶などの収納物を縦横に整列して収納する小容器部を複数集合した中容器部を組み合わせて一体とし、小容器部に分離することができるようにした分割可能な包装箱に関する。【解決手段】分割可能な包装箱は、缶や瓶などの収納物を縦横に整列して収納する小容器部の周壁が一体に形成されて複数の小容器部を連接した中容器部を形成し、該中容器部の周壁に、前記小容器部毎に分割しうる第１切断誘導部を形成し、該第１切断誘導部で分割された小容器部の開口端部に面する収納物を掛止める掛止片を設けてなることを特徴とする。【選択図】    図１
2004196378.tif 000002
【特許請求の範囲】
【請求項１】
缶や瓶などの収納物を縦横に整列して収納する小容器部の周壁が一体に形成されて複数の小容器部を連接した中容器部を形成し、該中容器部の周壁に、前記小容器部毎に分割しうる第１切断誘導部を形成し、該第１切断誘導部の近傍に第１切断誘導部で分割された小容器部の開口端部に面した収納物を掛止める掛止片を設けてなることを特徴とする分割可能な包装箱。
【請求項２】
中容器部の周壁の両端面が端面壁部によって塞がれていることを特徴とする請求項１に記載の分割可能な包装箱。
【請求項３】
周壁の両端面が端面壁部によって塞がれた箱容器であって、一方の端面を覆う端面壁部に左右へ延びる一対の線状の切離し部を設けて把持ベルト部を形成し、該把持ベルト部の基端は、収納された端面に面する収納物の外周面に沿って湾曲しうるようになっていることを特徴とする包装箱。
【請求項４】
把持ベルトを有する包装箱が、小容器部に分割可能な中容器部からなっていることを特徴とする請求項３に記載の分割可能な包装箱。
【請求項５】
中容器部の周壁の前後の両端面が開放されていることを特徴とする請求項１に記載の分割可能な包装箱。
【請求項６】
中容器部をその周壁の一方の側面壁部が接して仕切部となるように複数並べると共に、各中容器部の上面壁部または下面壁部が一体に繋がった蓋片で形成されており、前記蓋片を前記仕切部に沿って中容器部に分割しうる第２切断誘導部が形成されていることを特徴とする請求項１、２、４または５に記載のいずれかの分割可能な包装箱。
【請求項７】
掛止片が、中容器部の上面を覆う上面壁部または下面を覆う底面壁部に設けられていることを特徴とする請求項６に記載の分割可能な包装箱。
【請求項８】
分割可能な包装箱が、上面を開口した中容器部に対応する複数の第１箱体と、該第１箱体の上面を一連に覆って前記第１箱体に固着される蓋片とからなっていることを特徴とする請求項６に記載の分割可能な包装箱。
【請求項９】
分割可能な包装箱が、上面を開口した中容器部に対応する第１箱体と、該第１箱体と同一形状の中箱体と該中箱体に連設されて前記第１箱体および中箱体の上面を一体に覆う蓋片を備えた第２箱体とからなっていることを特徴とする請求項６に記載の分割可能な包装箱。
【発明の詳細な説明】
【０００１】
【発明の属する技術分野】
この発明は、缶や瓶などの収納物を縦横に整列して収納する小容器部を複数集合した段ボールなどからなる包装箱であって、小容器部に分離することができる分割可能な包装箱や把持ベルトを備えた包装箱に関する。
【０００２】
【従来の技術】
従来、飲料缶などを２×３列に並べて簡易包装するマルチパック（例えば実用新案登録第３０８３４９４号など）が用いられている。
このマルチパックでは、包装体の短手方向の両端面が開放されているので、店頭に並べるまでは飲料缶が汚れたり損傷したりしないように、マルチパックを複数組み合わせてラップラウンドケースなどの外箱に収納して、保管したり運搬したりしている。
そのため、マルチパックと外箱の二重包装となり、また、マルチパックを使用する場合には外箱は不要となるため無駄が多かった。
一方、小容器部を複数集合させ分割可能に組み合わせて１つの包装箱とした構造も知られている（実開昭５７−１５９６３５号、実開昭５９−２８０２０号）が、各小容器部は独立した箱体構造となっており、構造が複雑となって手間がかかり、また、製函の自動化に際しては特別の機械を必要とするなどの問題点があった。
【０００３】
【特許文献１】
実開昭５９−２８０２０号（明細書７頁１９行から８頁最終行、第３図）
【０００４】
【発明が解決しようとする課題】
この発明は上記事情に鑑みて創案されたものであって、その主たる課題は、二重包装することなく、小容器部を仕切らずに複数連続させた中容器部を基本形状として小容器部に分割することができるようにした分割可能な包装箱を提供することにある。
この発明の別の課題は、中容器部の端面を端面壁部で塞いで収納物を密封するので、保管時や運搬時においても収納物が汚れたり破損したりすることがない安全な分割可能な包装箱を提供することにある。
この発明の更に別の課題は、把持ベルト部を有する包装箱を提供することにある。
【０００５】
【課題を解決するための手段】
前記課題を達成するために、請求項１に記載の発明では、
缶や瓶などの収納物を縦横に整列して収納する小容器部の周壁が一体に形成されて複数の小容器部を連接した中容器部を形成し、該中容器部の周壁に、前記小容器部毎に分割しうる第１切断誘導部を形成し、該第１切断誘導部の近傍に第１切断誘導部で分割された小容器部の開口端部に面した収納物を掛止める掛止片を設けてなる、という技術的手段を講じている。
また、請求項２の発明では、
前記中容器部の周壁の両端面が端面壁部によって塞がれている、という技術的手段を講じている。
請求項３の発明では、
周壁の両端面が端面壁部によって塞がれた箱容器であって、一方の端面を覆う端面壁部に左右へ延びる一対の線状の切離し部を設けて把持ベルト部を形成し、該把持ベルト部の基端は、収納された端面に面する収納物の外周面に沿って湾曲しうるようになっている、という技術的手段を講じている。
また、請求項４の発明では、
把持ベルトを有する包装箱が小容器部に分割可能な中容器部からなっている、という技術的手段を講じている。
また、請求項５の発明では、
前記中容器部の周壁の前後の両端面が開放されている、という技術的手段を講じている。
【０００６】
請求項６の発明では、
前記中容器部をその周壁の一方の側面壁部が接して仕切部となるように複数並べると共に、各中容器部の上面壁部または下面壁部が一体に繋がった蓋片で形成されており、前記蓋片を前記仕切部に沿って中容器部に分割しうる第２切断誘導部が形成されている、という技術的手段を講じている。ここで、蓋片は、各中容器部の上面壁部または下面壁部のいずれか一方が一体に繋がって形成されるものでも、あるいは上面壁部および下面壁部の双方がそれぞれ一体に繋がって形成されるものであってもよい。
また、請求項７の発明では、
前記掛止片が、中容器部の上面を覆う上面壁部または下面を覆う底面壁部に設けられている、という技術的手段を講じている。
更に、請求項８の発明では、
分割可能な包装箱が、上面を開口した中容器部に対応する複数の第１箱体と、該第１箱体の上面を一連に覆って前記第１箱体に固着される蓋片とからなっている、という技術的手段を講じている。
また、請求項９の発明では、
分割可能な包装箱が、上面を開口した中容器部に対応する第１箱体と、該第１箱体と同一形状の中箱体と該中箱体に連設されて前記第１箱体および中箱体の上面を一体に覆う蓋片を備えた第２箱体とからなっている、という技術的手段を講じている。
【０００７】
【発明の実施の形態】
以下に、この発明の包装箱の好適実施例を図面を参照して説明する。
図１は、段ボールなどからなる紙製の分割可能な包装箱１を模式的に示したものであり、（ａ）は、基準となる中容器部２０を示す。
中容器部２０は、最小単位となる小容器部１０の周壁を仕切らずに延出すると共に前後の端面を端面壁部で覆った箱体とし、複数（図示例では２つ）の小容器部１０を連続して形成されている。
この発明で、分割可能な包装箱１は、中容器部２０単独であってもよいし、（ｂ）に示すように複数の中容器部２０からなるものでもよい。
【０００８】
そして、この中容器部２０の周壁には、小容器部１０毎に分割するための第１切断誘導部３１が形成されている。
また、この第１切断誘導部３１で分割された小容器部１０の開口端部に面する収納物を掛止めるための掛止片５が前記第１切断誘導部３１を挟んで前後に形成されている。
なお、前記中容器部２０の周壁の両端面は端面壁部で塞がずに開放してもよく、その場合は開放した端面側にも前記掛止片と同様の掛止片を設けることが好ましい（図示せず）。
【０００９】
図１（ｂ）に示す中容器部２０は、その左右の側面を塞ぐ側面片部２２同士で隙間無く壁面を重ね合わせて仕切部Ｓとなし、複数（図示例では２つ）の中容器部２０を上面を蓋片Ｃで一連に塞いで単一の分割可能な包装箱１として形成される。
即ち、この場合、各中容器部２０の上面を覆う上面壁部２１は、分離せずに仕切部Ｓを超えて一連につながった蓋片Ｃで形成されている。
この中容器部２０の下面を覆う底面壁部２４は分離しているので、底面壁部２４、２４相互を繋ぐように接着テープなどで分離可能に貼り合わせる（図示せず）。
【００１０】
なお、本実施例では、前記小容器部１０は、縦横の一方が２列、他方が３列となるように６個の収納物、一例としての缶ビールＧを整列して収納しうる形状となっている。
即ち、縦横の列の一方を他方よりも少なく並べ、後述の第１切断誘導部３１で分割された際に、小容器部１０の開口端部に少ない列の収納物が面するように配置して、掛止部５にかかる負担を小さくしている。
また、中容器部２０は、その前後の端面、即ち、小容器部１０の外側に向いた端面は端面壁部２５によって塞がれており、収納物Ｇを密封している。
【００１１】
次ぎに、前記蓋片Ｃには、前記仕切部Ｓの上部に沿って、中容器部２０を分割するための第２切断誘導部３２が形成されている。
従って、この第２切断誘導部３２に沿って切断することにより、前記蓋片Ｃを２つの上面壁部２１に分離し、中容器部２０毎に切り離して分割することができる。
【００１２】
また、中容器部２０は、前記連続する小容器部１０の連設部（境界部分）に沿って、前記第２切断誘導部３２に直交する第１切断誘導部３１が、上面壁部２１、左右の側面壁部２２および底面壁部２４にほぼ連続して環状に切断しうるように形成されている。なお、壁部間の切断誘導部相互には多少のずれがあってもよく、要するに分離可能に切断できればよい。
従って、この第１切断誘導部３１に沿って切断することにより、小容器部２０毎に切り離して、２つの小容器部１０に分割することができる。
【００１３】
次ぎに、中容器部２０が、第１切断誘導部３１で分割すると、分断面は開口するので、その開口端部に面する収納物を掛止めるために上下に掛止片５、６が設けられている。
この掛止片５、６は、上面壁部２１と底面壁部２４において、前記第１切断誘導部３１を中心にしてその両側に配置されている。
【００１４】
本実施例では、図２に示すように、小容器部１０には、２列にビール缶が収納されているので、その上下の凹部に掛止められるように上下それぞれに左右一対の掛止片５、６が設けられている。
この掛止片５、６は図示例では点線状の切込線で爪形状に形成されており、この切込線を下に押し込むことにより、缶ビールＧの上下の凹部に掛止められる構成からなっている。
【００１５】
従って、中容器部２０を小容器部１０に分割する際に、この掛止片５、６を内側に押し込んで、開口端面側の缶ビールＧを脱落しないように掛止めることができる。
この掛止片５、６の掛止めは、上記実施例に限らず、予め一方または双方を収納物に掛け止めておくものでもよい。
【００１６】
また、前記掛止片５の切込線に沿って空く穴５ａは、小容器部１０を運ぶ際の指掛け部として用いることができるが、これとは別に指掛け用に切込線を形成しておき、これを押し込んで指掛け部７とする構成でもよい（図１参照）。
これは上面に限らず、底面壁部に設けてもよい（図示せず）。
また、前述のように予め前記の穴を空けておく場合は、穴を使用するまでシールやラベル、接着テープなどで塞いでいてもよい。
【００１７】
分割可能な包装箱１は、上記のように構成されているので、第２切断誘導部３２に沿って切断して、複数の中容器部２０に分割し、この中容器部２０を更に第１切断誘導部３１によって単独の小容器部１０に分割することができる。
あるいは、分割可能な包装箱１は、先に第１切断誘導部３１に沿って切断して多連（２連）の小容器部１０に分割し、次ぎにこれを第２切断誘導部３２に沿って切断して小容器部１０の連結を切って単独の小容器部１０に分割することができる。
【００１８】
次ぎに、図３に示す分割可能な包装箱１では、上面を開口し、左右の側面を塞ぐ側面壁部２２と前後の端面を覆う端面壁部２５と、底面を覆う底面壁部２４とを有して、中容器部２０に対応した第１箱体２０Ａを複数（２つ）成型し、該第１箱体２０Ａの上面を別体の蓋片Ｃで一連に覆って各中容器部２０の上面壁部２１としている。
ここで、図中、符号２６は、左右の側面壁部２２に連接して上面で内向き折り曲げられる上部貼付片であって、蓋片Ｃを接着させるための片である。
【００１９】
また、この蓋片Ｃは、図示例の場合、中容器部２０の延出方向に延びた端面貼付片Ｃ２を有しており、中容器部２０の両方の端面壁部２５に固着される。
ここで、端面壁部２５では、中容器部２０の各側面壁部２２から延びて、組立時に内向きに折り曲げられ一対となって端面を塞ぐ折曲片２５ａと、底面壁部２４から延びて組立時に上向きに折り曲げられ、前記折曲片２５ａにその外側から下半分に重なって接着される下段片２５ｂを有している。
【００２０】
そして、前記蓋片Ｃの貼付片Ｃ２が下向きに折り曲げられて、前記折曲片２５ａの外側で上半分に重なって接着され、前記折曲片２５ａおよび下段片２５ｂとで端部を塞いで端面壁部２５を構成している。
この端面壁部２５の構成や貼付片Ｃ２の形状などは、上記実施例に限定されるものではなく、適宜形成することができる。
【００２１】
上記構成からなるので、まず、図示しないがブランクから第１箱体２０Ａを製函し、各第１箱体２０Ａに缶ビールＧを１２本づつ収納する。
この第１箱体２０Ａを２つづつ揃えて搬送し、その上面に蓋片Ｃの連続するシートをかぶせて切断し、蓋片Ｃとする。
そして、蓋片Ｃの両端の貼付片Ｃ２を折り曲げて第１箱体２０Ａの端部に接着して中容器部２０を形成し、同時に分割可能な包装箱１が完成する。
【００２２】
ここで、Ｌは、分割可能な包装箱１の上下に貼り付けられるラベルであって、上下またはいずれかにそれぞれ設けられた掛止部５、６の穴５ａ、６ａを塞いで外部からのゴミなどの侵入を防ぐと共に、中容器部２０相互を連結することができる。  図４には、底面壁部２４に設けた掛止部６の孔６ａをラベルＬでシールすると共に中容器部２０相互をラベルＬで接続した一例を示す。
【００２３】
次ぎに、図５に示す異なる実施例の分割可能な包装箱１は、図６（ｂ）に展開図を示す中容器部に対応する上面を開口した第１箱体２０Ａと、図６（ａ）に展開図を示す第２箱体２０Ｂとからなっている。
ここで、第２箱体２０Ｂは、前記第１箱体２０Ａとほぼ同じ構成の中箱体２０Ａ’と、該中箱体２０Ａ’の一方の側面壁部に連設された蓋片Ｃとからなっている。
【００２４】
そして、第２箱体２０Ｂで組み立てられる中箱体２０Ａ’に、前記第１箱体２０Ａを並べ、蓋片Ｃで前記中箱体２０Ａ’と第１箱体２０Ａの上面を覆うと共に貼付片Ｃ２を折り曲げて中箱体２０Ａ’と第１箱体２０Ａの端部に接着して、それぞれ中容器部２０を形成し、同時に分割可能な包装箱１が完成する。
【００２５】
なお、第１箱体２０Ａは、前記実施例の中容器部２０に準じるので同一構成には同一符号を付して、その説明を省略する。
また、第２箱体２０Ｂの中箱体２０Ａ’は上記第１箱体２０Ａとほぼ同じ（蓋片Ｃが側面２２の延長上にあるため一方の上部貼付片２６が形成されていない点を除く）であり、該中箱体２０Ａ’と一体の蓋片Ｃも前記実施例の蓋片Ｃと同様の構成であるので、同一構成には同一符号を付して、その説明を省略する。
【００２６】
次ぎに、図７および図８には、単体の紙製容器であって、図示例では前記実施例の中容器部２０に相当する形状で複数の小容器部に分割しない把持ベルト部４０付きの包装箱２０’の実施例を示す。
この包装箱２０’は、上面が開口した箱体２０Ａ’と、上記開口を塞ぐ蓋片Ｃ’との組合せからなっている。
箱体２０Ａ’は、折曲片２５ａが端面壁部２５を左右に二分する形状からなっており、下段片２５ｂは端面壁部２５を上下に二分した下半分を占める形状からなっている。
【００２７】
そして、一方の端面壁部２５を構成する一対の折曲片２５ａには、その中央で中容器部の長手方向に延びる一対の切離し部４１、４１が形成されており、その端部は側面壁部２２の一部にまで延びて折曲げ線４６で繋がっており、把持ベルト構成部４０ａ、４０ｂを形成している。
また、各把持ベルト構成部４０ａ、４０ｂの先端の左右両側には、切欠部の半分の形状からなる切欠構成部４２、４３が形成されている。
そこで、前記折曲片２５ａは、図８（ａ）に示すように端面が接するように折り曲げると把持ベルト構成部４０ａ、４０ｂが同一線上に並んで配置され、同様に切欠構成部４２、４３がそれぞれ繋がって一連の切欠部となる。
なお、下方の切欠部４２，４３は下段片２５ｂで覆われ、後述の表面側切取部４５が上に重なっている。
【００２８】
次ぎに、前記蓋片Ｃ’の端面貼付片Ｃ２には、その先端縁部に沿って１条の切離し部４１’が形成されて、蓋体Ｃ側の把持ベルト連設部４０ｃが形成されている。
また、上記把持ベルト連設部４０ｃの内側の中央には、切抜き用の表面側切取部４４が形成されている。
同様に、一方の下段片２５ｂには、その先端縁部の中央に切抜き用の表面側切取部４５が形成されている。
【００２９】
従って、蓋片Ｃ’を箱体２０Ａ’に貼り付けることにより、前記把持ベルト連設部４０ｃが、並んだ一対の把持ベルト構成部４０ａ、４０ｂの上に重なって一体に接着され、把持ベルト４０となる（図８（ｂ）参照）。
なお、表面側切取部４４、４５は、前記切欠部構成部４２、４３の上にそれぞれ重なって塞いでおり、搬送時にゴミなどの侵入を防ぐことができる。
そして、商品を持ち帰る際などの使用時には、表面側切取部４４、４５を切り抜き、把持ベルト４０部分を引き上げるようにして切り離して把持ベルト４０を完成させることができる。なお、図中５０は、開封口である。
【００３０】
この実施例では、切離し部４１は、左右の側面壁部２２の一部にまで延びているが、いずれか一方だけに延びる構成、あるいは端面壁部２５だけに形成される構成であってもよい。
また、この実施例では、包装箱２０’は、単体であって小容器部に分割する構成を採らないが、図９に示すように、包装体２０’は前記各実施例の中容器部のように第１切断誘導部３１や掛止片５を設けて小容器部１０に分割しうる構造としてもよい。
また、図示しないが、このような包装体２０’を中容器部として、その側面壁部２２が仕切部となるように複数並べて蓋片で一体に繋げた分割可能な包装箱としてもよい。
それらの場合の構成については前記実施例と同様であるので、説明を省略する。
【００３１】
次ぎに、図１０には、把持ベルトを備え、小容器部に分割可能な異なる実施例の中容器部２０を示す。
この中容器部２０には、一方の端面壁部２５を中心にしてその左右の側面壁部２２の一部に延びる一対の線状の切離し部４１を設けており、この切離し部４１に沿って帯状の把持ベルト部４０を形成している。
この把持ベルト部４０は、図１０（ａ）に示すように、引っ張ることにより、その基端が中容器部２０の角部の空間側に撓み、収納された端面壁部２５に面する収納物Ｇ’の外周面に沿って湾曲するので、中容器部２０の端面より外側に突出しうるようになっている。
【００３２】
従って、この把持ベルト部４０を用いて中容器部２０または分割可能な包装箱１自体を持ち運ぶことができる。
図１０（ｂ）は、把持ベルト部４０を有する中容器部２０の展開図であって、一対の切離し部４１、４１の中央には半円形状の切抜部４２を設けており、把持ベルト部４０を引き出しやすいようにしている。
ここで、図１０（ｂ）に示すように、切抜部４２は、折曲片２７、下段片２５ｂと、蓋片の貼付片Ｃ２に形成される。
また、この実施例では折曲片２７は、端部を塞いで先端が側面壁部２２に接着可能に延びており、その中央に前記切離し部４１，４１が形成されており、対向する折曲片２７を二重に重ねて把持ベルト部４０の強度を高める構成となっている。
その他の構成は前記実施例に準じているので説明を省略する。
【００３３】
この実施例では、中容器部２０を複数接続した分割可能な包装箱１の中容器部２０に把持ベルト部を設けた場合について説明したが、分割可能な包装箱１が中容器部２０だけからなる場合であってもよい。
即ち、図１０（ａ）は、分割した中容器部２０ではなく、単体で分割可能な包装箱１となる中容器部２０を示した図となる。
構造は全く同じであるので説明は省略する。
なお、組み立てに際しては、図１０（ｂ）の展開図では、蓋片Ｃの点線で示した分割された上面片部２１が不要となり、実線で示した上面片部２１だけが用いられる。その他の構成は前記実施例と同じである。
また、図８（ｂ）の実施例のように中容器部２０が分割されず１つの包装箱となるものでもよい。
【００３４】
次ぎに、図１１および図１２に示す分割可能な包装箱１’は、中容器部２０の端面を開放したままの簡易タイプを示す。
この場合、前記実施例で端面壁部２５を設けておらず、簡便に成型することができる。
【００３５】
そして、中容器部２０の両端面、即ち、両端に配置された小容器部１０の端面では、端面壁部に代えて開口端部に面する収納物Ｇを掛止める第１掛止片８、９を上下に設けている。
また、前記実施例で、第１切断誘導部３１で分割された開口端部に面する収納物を掛止めるための掛止片（前記実施例の掛止片５、６）を第２掛止片５’、６’として設け、上記第１切断誘導部を中心にしてその両側に配置している（底面側は図示せず）。
その他の構成は前記実施例に準ずるので、同一構成には同一符号を付して説明を省略する。
【００３６】
上記の分割可能な包装箱１’の実施例（前記分割可能な包装箱１の実施例でも同じ）で、中容器部２０の上面壁部２１の構成は、前述のように蓋片Ｃだけの構成でもよいが、一部を二重に片を重ねた構成としてもよい。
即ち、図１２に示すように、上面を開口した中箱体２０Ａ”を組み立て、その上に第１および第２掛止部５’，８を形成した上片２１Ａを貼り付けておく。
【００３７】
この上片２１Ａは、その左右両端に上部貼付片２６に対応してこれに接着するための貼付片部２１ａを有し、前後方向の両端側にはやや内側に第１掛止片８、８を突設している。
また、中央には切欠孔２１ｂを設け、該孔２１ｂの中央に向かってそれぞれ第２掛止部５、５を突設した図示例の構成からなっている。
【００３８】
蓋片Ｃは、第２切断誘導部３２と、第１切断誘導部３１を中央でクロスするように配設した構成からなっている。
そして、蓋片Ｃを上片２１Ａの上から重ねて接着することにより、中容器部２０の上面壁部２１が形成される。
この場合は、予め第１および第２の掛止部５，８を予め折り曲げて缶ビールなどの収納物に掛け止めておいても、上面に穴が開口することはない。
【００３９】
その他、この分割可能な包装箱１、１’の組み立て構造は前記実施例に限定されるものではなく、収納物の種類や用途に応じて、適宜設計変更することができる。
また、第２切断誘導部や第１切断誘導部は、紙材を切断しやすくするものであればよく、点線状の切込線や、向かい合う鉤状に切り込みを入れて中間部分をテープ状に引き剥がす構造、あるいはこれらの組み合わせなど、要するに箱体を分離しうる構成であればよい。
また、把持部その他の付加的構成を適宜に加えてもよい。
更に、小容器部を連続させる数、および中容器部を組み合わせる数は前記実施例の２つに限定されないことは勿論であり、任意の組合せとすることができる。
また、掛止部は上下いずれか一方に設けたものでもよい。
【００４０】
【発明の効果】
この発明は、小容器部を仕切らずに複数連続させた中容器部を基本形状とし、小容器部毎に分割することができるようにし、その分割した際の端面に接する収納物は掛止片で掛止めることができるようにしたので、二重包装の必要がなく、中容器部を切断することで簡単に小容器部に分割することができる。
そのため、保管や運搬時には一体の分割可能な包装箱として取り扱うことができ、販売時には、中容器部や小容器部に適宜分割して持ち帰ることができるので、保管や運搬時に収納物が損傷したり汚れたりする虞れがなく、また販売時には切り離されても掛止片により収納物が小容器部から抜落する虞れがない。
そして、従来のような二重に包装する必要がなく、簡単な構造で包装コストを抑えることができる。
また、蓋片と箱体からなる中容器部を基準として組み合わせるので、従来の製函装置を用いることも可能であって、製作が容易となる。
この蓋片は、各中容器部の上面壁部または下面壁部のいずれか一方を一体に形成したものでも、あるいは上面壁部および下面壁部の双方をそれぞれ一体に形成したものでもよい。
更に、この発明で、切断誘導部が切り離し部分に設けられるが、この切断誘導部は、予め切断された個所に接着テープを掛け渡して貼り付けておき、この接着テープを剥がして双方を分離させる構造であってもよい。
その他、要するにこの発明の要旨を変更しない範囲で種々設計変更しうること勿論である。
【図面の簡単な説明】
【図１】（ａ）は分割可能な包装箱の中容器部の模式図を示す斜視図、（ｂ）は分割可能な包装箱の模式図を示す斜視図である。
【図２】（ａ）は小容器部の斜視図、（ｂ）は掛止片の掛止め状態を示す斜視図である。
【図３】分割可能な包装箱の組み立て状態を示す分解斜視図である。
【図４】分割可能な包装箱の孔にラベルを貼付けた状態を示す斜視図である。
【図５】分割可能な包装箱の別の実施例の組み立て状態を示す分解斜視図である。
【図６】図５の分割可能な包装箱の展開図であって、（ａ）は第２箱体、（ｂ）は第１箱体を示す。
【図７】把持ベルト部付きの包装箱の展開状態を示す斜視図である。
【図８】（ａ）は把持ベルト部付きの包装箱の組み立て状態を示す斜視図、（ｂ）は組み立てられた包装箱の斜視図である。
【図９】図７の把持ベルト部付きの包装箱を小容器部に分割可能とした実施例を示す斜視図である。
【図１０】（ａ）は異なる実施例の把持ベルト部付き包装箱の斜視図、（ｂ）は展開図である。
【図１１】簡易タイプの分割可能な包装箱の斜視図である。
【図１２】図１１の組み立て状態を示す分解斜視図である。
【符号の説明】
１          分割可能な包装箱
１’        簡易タイプの分割可能な包装箱
５、６      上下の掛止片
５’、６’  上下の第２掛止片
７          指掛け用の穴部
８、９      上下の第１掛止片
１０          小容器部
２０          中容器部
２０’        把持ベルト部付きの包装箱
２０Ａ        第１箱体
２０Ａ’      中箱体
２０Ａ”      中箱体
２０Ｂ        第２箱体
２１          上面壁部
２１Ａ        上片
２２          側面壁部
２４          底面壁部
２５          端面壁部
３１          第１切断誘導部
３２          第２切断誘導部
４０          把持ベルト部
４１          切離し部
Ｃ          蓋片
Ｃ２        貼付片
Ｇ          収納物の一例として示す缶ビール
Ｓ          仕切部
【図１】
2004196378.tif 000003
【図２】
2004196378.tif 000004
【図３】
2004196378.tif 000005
【図４】
2004196378.tif 000006
【図５】
2004196378.tif 000007
【図６】
2004196378.tif 000008
【図７】
2004196378.tif 000009
【図８】
2004196378.tif 000010
【図９】
2004196378.tif 000011
【図１０】
2004196378.tif 000012
【図１１】
2004196378.tif 000013
【図１２】
2004196378.tif 000014